(57)【要約】【課題】機能制限が掛けられた場所を確認しやすく、且つ、他人が容易に認識することを防ぐ。【解決手段】携帯電話機１は、位置情報が付加された位置情報付き画像ファイルと、自機の機能を制限する内容を示すセキュリティ設定情報とを関連付けて記憶する記憶部２０と、自機の現在位置を取得する位置情報取得部５０１と、上記位置情報取得部５０１によって取得された自機の現在位置と、上記位置情報が示す位置との距離が所定の条件を満たす位置情報が付加された位置情報付き画像ファイルを、上記記憶部２０から検索し、適用画像ファイルとして抽出する画像ファイル抽出部５０２と、上記画像ファイル抽出部５０２が抽出した上記適用画像ファイルおよび／または上記適用画像ファイルを識別するための識別情報を、表示部に表示する表示制御部５１１とを備える。【選択図】図１
2013004990.tif 000002
【特許請求の範囲】
【請求項１】
位置情報が付加された位置情報付き画像データと、自情報端末の機能を制限する内容を示す機能制限設定情報とを関連付けて記憶する記憶部と、
自情報端末の現在位置を取得する位置情報取得手段と、
上記位置情報取得手段によって取得された自情報端末の現在位置と、上記位置情報が示す位置との距離が所定の条件を満たす位置情報が付加された位置情報付き画像データを、上記記憶部から検索し、適用画像データとして抽出する適用画像検索手段と、
上記適用画像検索手段が抽出した上記適用画像データおよび／または上記適用画像データを識別するための識別情報を、表示部に表示する画像表示手段とを備えることを特徴とする情報端末。
【請求項２】
上記画像表示手段は、上記適用画像データを、自情報端末の現在位置と、上記位置情報が示す位置との距離が所定の条件を満たす位置情報が付加された位置情報付き画像データであることを示す情報である適用画像明示情報とともに、上記表示部に表示することを特徴とする請求項１に記載の情報端末。
【請求項３】
上記適用画像検索手段が、自情報端末の現在位置と、上記位置情報が示す位置との距離が所定の条件を満たす位置情報が付加された位置情報付き画像データを複数抽出したとき、
上記画像表示手段は、上記所定の条件を最も良く満たす１つの位置情報付き画像データと、抽出された他の位置情報付き画像データとを、区別して上記表示部に表示することを特徴とする請求項１または２に記載の情報端末。
【請求項４】
上記画像表示手段は、上記適用画像データを他の画像データとともに一覧表示するとき、ユーザの操作に応じて画像データを選択するためのカーソルを上記適用画像データに当てた状態で、一覧表示を開始することを特徴とする請求項２に記載の情報端末。
【請求項５】
上記画像表示手段は、上記適用画像データを、他の画像データとともに一覧表示するとともに、ユーザの操作に応じて画像データを選択するカーソルにより、上記適用画像データが選択されたとき、当該選択された上記適用画像データに上記適用画像明示情報を表示することを特徴とする請求項２に記載の情報端末。
【請求項６】
上記画像表示手段は、上記適用画像検索手段が抽出した上記適用画像データを、待ち受け画面として上記表示部に表示することを特徴とする請求項２に記載の情報端末。
【請求項７】
自情報端末の機能を制限しているとき、
上記画像表示手段は、上記制限の内容を示す機能制限設定情報と関連付けられている位置情報付き画像データを、上記表示部に表示することを特徴とする請求項１に記載の情報端末。
【請求項８】
請求項１から７のいずれか１項に記載の情報端末としてコンピュータを機能させるための制御プログラムであって、コンピュータを上記各手段として機能させるための制御プログラム。
【請求項９】
請求項８に記載の制御プログラムを記録したコンピュータ読み取り可能な記録媒体。
【請求項１０】
情報端末は、位置情報が付加された位置情報付き画像データと、自情報端末の機能を制限する内容を示す機能制限設定情報とを関連付けて記憶する記憶部を備え、
自情報端末の現在位置を取得する位置情報取得ステップと、
上記位置情報取得ステップにて取得された自情報端末の現在位置と、上記位置情報が示す位置との距離が所定の条件を満たす位置情報が付加された位置情報付き画像データを、上記記憶部から検索し、適用画像データとして抽出する適用画像検索ステップと、
上記適用画像検索ステップにて抽出した上記適用画像データおよび／または上記適用画像データを識別するための識別情報を、表示部に表示する画像表示ステップとを含むことを特徴とする情報端末の制御方法。
【発明の詳細な説明】
【技術分野】
【０００１】
本発明は、セキュリティ機能を備える情報端末、情報端末の制御方法、制御プログラムおよび記録媒体に関するものである。
【背景技術】
【０００２】
近年、セキュリティ機能を備える情報端末の普及に伴って、ＧＰＳ装置などを使って情報端末の位置情報を取得し、取得した位置情報に応じてセキュリティ管理を行う機種が次々と開発されている。
【０００３】
例えば、特許文献１には、位置情報を用いてセキュリティ管理を行う情報処理装置が開示されている。具体的には、上記情報処理装置は、当該情報処理装置の位置情報を取得し、当該情報処理装置が有する機能のうち、どの機能を制限するかを、位置情報に応じて決定するためのデータであるセキュリティポリシーデータに基づいて、当該情報処理装置においてセキュリティ管理を要する機能の制限を位置情報に応じて行う。
【０００４】
また、特許文献２には、セキュリティ機能を備える記憶装置が開示されている。具体的には、上記記憶装置は、当該記憶装置の位置を測定し、当該記憶装置が位置する場所が予め設定され、予め設定された場所と前記測定された位置の比較を行い、前記測定された位置が前記予め設定された場所と異なる場合は、当該記憶装置の記憶媒体へのアクセスを禁止する。
【０００５】
また、特許文献３には、情報の利便性と安全性という相反することを同時に満足させることを目的とする携帯端末情報管理システムが開示されている。具体的には、上記携帯端末情報管理システムは、メモリカードに記憶される表示情報を、ユーザの現在位置に基づいて第１記憶部又は第２記憶部に転送を行う。すなわち、ユーザ位置情報と前回ユーザ位置情報とが一致しないと判定された場合、メモリカード、第１記憶部または第２記憶部のいずれかの記憶部に記憶されている表示情報を、他の２つの記憶部のいずれに記憶させるかを表す記憶位置を、変化したユーザ位置情報に基づいて決定する。
【先行技術文献】
【特許文献】
【０００６】
【特許文献１】特開２００９−０７００７３号公報（２００９年４月２日公開）
【特許文献２】特開２００９−２５９１１５号公報（２００９年１１月５日公開）
【特許文献３】特開２０１０−０８６１６５号公報（２０１０年４月１５日公開）
【発明の概要】
【発明が解決しようとする課題】
【０００７】
しかしながら、位置情報に応じてセキュリティ管理を行った後、従来の技術、例えば、特許文献１〜３に記載の技術では、位置情報が経度緯度などで表されるため、以下のような問題が生じていた。すなわち、情報端末のユーザにとって、位置情報が示す場所を把握することが難しく、機能制限が掛けられた場所を確認するのは難しい。
【０００８】
また、逆に、誰でも確認しやすくすると、セキュリティ設定状態を他人が容易に認識できてしまうので、望ましくない。
【０００９】
本発明は、上記の問題点に鑑みてなされたものであり、その目的は、機能制限が掛けられた場所を確認しやすく、且つ、他人が容易に認識することを防ぐことが可能な情報端末および情報端末の制御方法、制御プログラムおよび記録媒体を実現することにある。
【課題を解決するための手段】
【００１０】
上記課題を解決するために、本発明に係る情報端末は、位置情報が付加された位置情報付き画像データと、自情報端末の機能を制限する内容を示す機能制限設定情報とを関連付けて記憶する記憶部と、自情報端末の現在位置を取得する位置情報取得手段と、上記位置情報取得手段によって取得された自情報端末の現在位置と、上記位置情報が示す位置との距離が所定の条件を満たす位置情報が付加された位置情報付き画像データを、上記記憶部から検索し、適用画像データとして抽出する適用画像検索手段と、上記適用画像検索手段が抽出した上記適用画像データおよび／または上記適用画像データを識別するための識別情報を、表示部に表示する画像表示手段とを備えることを特徴としている。
【００１１】
また、本発明に係る情報端末の制御方法は、情報端末は、位置情報が付加された位置情報付き画像データと、自情報端末の機能を制限する内容を示す機能制限設定情報とを関連付けて記憶する記憶部を備え、自情報端末の現在位置を取得する位置情報取得ステップと、上記位置情報取得ステップにて取得された自情報端末の現在位置と、上記位置情報が示す位置との距離が所定の条件を満たす位置情報が付加された位置情報付き画像データを、上記記憶部から検索し、適用画像データとして抽出する適用画像検索ステップと、上記適用画像検索ステップにて抽出した上記適用画像データおよび／または上記適用画像データを識別するための識別情報を、表示部に表示する画像表示ステップとを含むことを特徴としている。
【００１２】
上記の構成によれば、自情報端末の機能を制限する内容を示す機能制限設定情報と関連付けられた位置情報付き画像データのうち、自情報端末の現在位置との距離が所定の条件を満たす位置情報が付加された適用画像データ（位置情報付き画像データ）を抽出し、その適用画像データおよび／または適用画像データを識別するための識別情報を、表示部に表示することができる。ここで、上記「所定の条件」とは、具体的には、例えば、画像データに付加されている位置情報を中心とする有効範囲内に、現在位置が含まれている場合、当該画像データを適用画像データとする。
【００１３】
よって、ユーザにとって、機能制限が掛けられた場所を容易に確認することができる効果を奏する。また、他人が見ても、容易に認識することができないため、セキュリティを一層高めることができるという効果を奏する。
【００１４】
さらに、本発明に係る情報端末は、上記画像表示手段は、上記適用画像データを、自情報端末の現在位置と、上記位置情報が示す位置との距離が所定の条件を満たす位置情報が付加された位置情報付き画像データであることを示す情報である適用画像明示情報とともに、上記表示部に表示することを特徴としている。
【００１５】
上記の構成によれば、適用画像データと、適用画像明示情報とを一緒に表示することができる。
【００１６】
よって、ユーザが、適用画像明示情報によって、適用画像データを容易に識別することができる。
【００１７】
また、適用画像データを見るだけで、現在機能制限が掛けられた場所が一目で分かり、経緯度などのテキストでの表示よりも、どの場所であるかを直感的に認識することができる。また、詳細な位置情報が表示されないため、セキュリティを保つことが期待できる。さらに、事前にユーザ自身で適用画像明示情報の表示方法を指定できるようにすることにより、ユーザは容易に認識できる一方、他人が容易に認識することを防ぐことができるという効果を奏する。
【００１８】
さらに、本発明に係る情報端末は、上記適用画像検索手段が、自情報端末の現在位置と、上記位置情報が示す位置との距離が所定の条件を満たす位置情報が付加された位置情報付き画像データを複数抽出したとき、上記画像表示手段は、上記所定の条件を最も良く満たす１つの位置情報付き画像データと、抽出された他の位置情報付き画像データとを、区別して上記表示部に表示することを特徴としている。
【００１９】
上記の構成によれば、上記所定の条件を満たす画像データが複数ある場合、最も良く満たすものから、段階的に区別して表示することができる。
【００２０】
よって、ユーザが現在位置だけではなく、現在位置周辺にある機能制限が掛けられた場所も把握することができるという効果を奏する。
【００２１】
さらに、本発明に係る情報端末は、上記画像表示手段は、上記適用画像データを他の画像データとともに一覧表示するとき、ユーザの操作に応じて画像データを選択するためのカーソルを上記適用画像データに当てた状態で、一覧表示を開始することを特徴としている。
【００２２】
上記の構成によれば、一覧表示の初期状態（デフォルト状態）として、カーソルを適用画像データに当ることができる。
【００２３】
よって、一覧表示を開始する直後に、ユーザが操作しない限り、カーソルが必ず適用画像データに当てることができるので、ユーザが一覧表示画面を操作する前に、適用画像データを容易に識別することができるという効果を奏する。さらに、ユーザが適用画像データを識別した後、カーソルを移動するだけで、適用画像データを他人に認識することを防ぐことができるという効果も奏する。
【００２４】
さらに、本発明に係る情報端末は、上記画像表示手段は、上記適用画像データを、他の画像データとともに一覧表示するとともに、ユーザの操作に応じて画像データを選択するカーソルにより、上記適用画像データが選択されたとき、当該選択された上記適用画像データに上記適用画像明示情報を表示することを特徴としている。
【００２５】
上記の構成によれば、カーソルが当る画像データによって、カーソルの表示仕方を変わることができる。すなわち、画像データにカーソルを当てることによって、適用画像データであるか否かを確認することができる。
【００２６】
よって、調べたい画像データにカーソルに当てることで、その画像データが適用画像データであるか否かを簡単に確認することができるという効果を奏する。また、興味のない画像データについては、選択されないと、表示が変わらないため、ユーザに邪魔にならないという効果も奏する。
【００２７】
さらに、本発明に係る情報端末は、上記画像表示手段は、上記適用画像検索手段が抽出した上記適用画像データを、待ち受け画面として上記表示部に表示することを特徴としている。
【００２８】
上記の構成によれば、待ち受け画面にて適用画像ファイルを表示させることができる。
【００２９】
よって、情報端末の待ち受け画面を見れば、現在機能制限が掛けられた場所を簡単に確認することができる。それゆえ、ユーザの操作を減らすことができるという効果を奏する。
【００３０】
さらに、本発明に係る情報端末は、自情報端末の機能を制限しているとき、上記画像表示手段は、上記制限の内容を示す機能制限設定情報と関連付けられている位置情報付き画像データを、上記表示部に表示することを特徴としている。
【００３１】
上記の構成によれば、機能が制限されているとき、少なくとも、上記制限の内容を示す機能制限設定情報と関連付けられている位置情報付き画像データを表示することができる。
【００３２】
よって、機能が制限されているときに、例えば、情報端末がロックされている最中に、画像一覧画面を起動できなくても、適用画像データを確認することができるという効果を奏する。
【００３３】
なお、上記情報端末は、コンピュータによって実現してもよく、この場合には、コンピュータを上記各手段として動作させることにより上記情報端末をコンピュータにて実現させる情報端末の制御プログラム、およびそれを記録したコンピュータ読み取り可能な記録媒体も、本発明の範疇に入る。
【発明の効果】
【００３４】
以上のように、本発明に係る情報端末は、位置情報が付加された位置情報付き画像データと、自情報端末の機能を制限する内容を示す機能制限設定情報とを関連付けて記憶する記憶部と、自情報端末の現在位置を取得する位置情報取得手段と、上記位置情報取得手段によって取得された自情報端末の現在位置と、上記位置情報が示す位置との距離が所定の条件を満たす位置情報が付加された位置情報付き画像データを、上記記憶部から検索し、適用画像データとして抽出する適用画像検索手段と上記適用画像検索手段が抽出した上記適用画像データおよび／または上記適用画像データを識別するための識別情報を、表示部に表示する画像表示手段とを備える構成である。
【００３５】
また、本発明に係る情報端末の制御方法は、情報端末は、位置情報が付加された位置情報付き画像データと、自情報端末の機能を制限する内容を示す機能制限設定情報とを関連付けて記憶する記憶部を備え、自情報端末の現在位置を取得する位置情報取得ステップと、上記位置情報取得ステップにて取得された自情報端末の現在位置と、上記位置情報が示す位置との距離が所定の条件を満たす位置情報が付加された位置情報付き画像データを、上記記憶部から検索し、適用画像データとして抽出する適用画像検索ステップと、上記適用画像検索ステップにて抽出した上記適用画像データおよび／または上記適用画像データを識別するための識別情報を、表示部に表示する画像表示ステップとを含む方法である。
【００３６】
よって、ユーザにとって、機能制限が掛けられた場所を容易に確認することができる効果を奏する。また、他人が見ても、容易に認識することができないため、セキュリティを一層高める効果を奏する。
【図面の簡単な説明】
【００３７】
【図１】本発明の一実施形態に係る携帯電話機の要部構成を示すブロック図である。
【図２】（ａ）（ｂ）は、図１に示した携帯電話機のセキュリティ機能切り替え処理の概要の一例を示す図である。
【図３】（ａ）（ｂ）は、図１に示した携帯電話機におけるセキュリティ機能に係る設定情報を格納する管理テーブルの一例を示す図である。
【図４】（ａ）（ｂ）は、図１に示した携帯電話機において、各画像ファイルにおける位置情報および有効範囲の関係の一例を示す図である。
【図５】図１に示した携帯電話機における色分け管理テーブルの一例を示す図である。
【図６】図１に示した携帯電話機におけるセキュリティ機能切り替え処理の一例を示すフローチャートである。
【図７】（ａ）（ｂ）は、図１に示した携帯電話機において、現在位置が含まれる画像ファイルが複数存在する場合の基本的なパターンを示す図である。
【図８】（ａ）〜（ｄ）は、図１に示した携帯電話機の画像一覧画面の表示例を示す図である。
【図９】図１に示した携帯電話機における画像一覧機能の処理の流れの一例を示すフローチャートである。
【図１０】本発明の別の実施形態に係る携帯電話機の要部構成を示すブロック図である。
【図１１】図１０に示した携帯電話機におけるセキュリティ機能切り替え処理の一例を示すフローチャートである。
【図１２】（ａ）（ｂ）は、図１０に示した携帯電話機の画像一覧画面の表示例を示す図である。
【図１３】図１０に示した携帯電話機における画像一覧機能の処理の流れの一例を示すフローチャートである。
【図１４】本発明のさらに別の実施形態に係る携帯電話機の要部構成を示すブロック図である。
【図１５】図１４に示した携帯電話機におけるセキュリティ機能切り替え処理の一例を示すフローチャートである。
【図１６】（ａ）（ｂ）は、図１４に示した携帯電話機における画面ロック中の壁紙の表示例を示す図である。
【発明を実施するための形態】
【００３８】
本発明の一実施形態に係る情報端末について、図面を参照して説明すれば以下のとおりである。なお、本実施形態に係る情報端末は、携帯電話機として実現されている。このため、以下では、本実施形態に係る情報端末を端的に携帯電話機と呼称する。
【００３９】
ただし、本発明は、携帯電話機に限らず、セキュリティ機能を備える情報端末一般に適用することができる。
【００４０】
〔第１の実施形態〕
本発明の一実施形態について図１から図９に基づいて説明すれば、以下のとおりである。
【００４１】
（セキュリティ機能切り替え処理概要）
本実施形態のセキュリティ機能切り替え処理の概要について、図２に基づいて説明する。図２は、本実施形態のセキュリティ機能切り替え処理の概要の一例を示す図であり、位置を仕事場と仕事場以外とに分けて、セキュリティ管理を行う例を示す図である。図２の（ａ）は、カメラで撮影した画像ファイルを、位置情報付きで保存する場面を示す図である。図２の（ｂ）は、位置情報に基づいて、セキュリティレベルを切り替える場面を示す図である。
【００４２】
図２の（ａ）に示すように、まず、ユーザは自分の仕事場をカメラで撮影する。撮影した後、携帯電話機１（図１参照；情報端末）において、撮影場所を表す位置情報（すなわち、仕事場近傍の位置情報）を、上記撮影した画像ファイルに付加して保存する。
【００４３】
その後、セキュリティ設定を行う。ここで、セキュリティ設定とは、セキュリティレベルおよび有効範囲の設定である。
【００４４】
例えば、セキュリティレベルは「低」とし、有効範囲は「２０ｍ」（すなわち、２０メートル）として設定されるものとする。上記の場合には、携帯電話機１は、画像ファイルに付加されている位置情報を中心に半径２０ｍ以内の範囲において、セキュリティレベルを「低」にし、上記範囲外において、セキュリティレベルを「高」にして、セキュリティを管理することを意味する。
【００４５】
そして、図２の（ｂ）に示すように、携帯電話機１を持つユーザが自分の仕事場にいるとき（すなわち、撮影された上記画像ファイルに付加されている位置情報を中心に半径２０ｍ以内の範囲にいるとき）、携帯電話機１は自動的にセキュリティレベルを「低」に設定する。一方、ユーザが自分の仕事場以外にいるとき（すなわち、上記範囲外にいるとき）、携帯電話機１は自動的にセキュリティレベルを「高」に設定する。
【００４６】
次に、上記セキュリティレベルおよび有効範囲について、図３を参照して説明する。
【００４７】
図３は、本実施形態において、セキュリティ機能に係る設定情報を格納する管理テーブルの一例を示す図である。図３の（ａ）は、画像ファイル毎に対応するセキュリティ設定情報（セキュリティレベルおよび有効範囲；機能制限設定情報）を示すセキュリティ設定管理テーブルである。図３の（ｂ）は、セキュリティレベル毎に対応するセキュリティ機能の有効状態を示すセキュリティ有効状態管理テーブルである。
【００４８】
図３の（ａ）に示すように、例えば、番号「１」に対応する行は、画像ファイル「IMG0001.jpg」に付加されている位置情報を中心に、半径「２０ｍ」以内の有効範囲において、セキュリティレベルを「高」に設定することを示している。
【００４９】
そして、図３の（ｂ）に示すように、セキュリティレベル「高」は、例えば、「待機画面」、「メール」、「電話」、「電話帳」および「画像一覧」機能に対して、セキュリティ機能をＯＮに設定するように定義されている。すなわち、セキュリティレベル「高」に設定されると、上記５つの機能をユーザが利用できない状態となる。
【００５０】
また、例えば、図３の（ａ）に示す番号「３」に対応する行は、画像ファイル「dcf0023.jpg」に付加されている位置情報を中心に、半径「１００ｍ」以内の有効範囲において、セキュリティレベルを「低」に設定することを示している。
【００５１】
そして、図３の（ｂ）に示すように、セキュリティレベル「低」は、例えば、「電話帳」以外の機能に対して、セキュリティ機能をＯＦＦに設定し、「電話帳」機能に対して、セキュリティ機能をＯＮに設定するように定義されている。すなわち、セキュリティレベル「低」に設定されると、「電話帳」機能だけが利用できないように制限され、「電話帳」以外の機能（「待機画面」、「メール」、「電話」および「画像一覧」）は利用できるような状態となる。
【００５２】
本実施形態では、図３の（ａ）に示すセキュリティ設定管理テーブルにおいて、「ファイル名」列に記載されている画像ファイルについては、すべて位置情報が付加されているものとする。本実施形態では、位置情報を付加する方法としては、ジオタグなどの位置情報を画像ファイルのＥｘｉｆデータに付加する。なお、位置情報を付加する方法は特に限定されず、画像ファイルと位置情報とを関連付けて管理できればよく、本実施形態のように、位置情報を画像ファイルと一体のデータとして保持しても良いし、別体のデータとして保持しても良い。すなわち、例えば、位置情報を画像ファイルとは別個のデータとし、画像ファイルと位置情報とを関連付けて管理テーブルによって管理してもよい。
【００５３】
また、本実施形態では、画像ファイル毎に対応するセキュリティ設定情報（セキュリティレベルおよび有効範囲）は、セキュリティ設定管理テーブルで記憶しているが、本発明は、それに限定されず、例えば、セキュリティ設定情報を、位置情報と同じように、画像ファイルのＥｘｉｆデータに付加してもよい。
【００５４】
また、本実施形態では、図３の（ｂ）に示すセキュリティ有効状態管理テーブルのセキュリティ機能の有効状態については、予め決められているものであってもよいし、ユーザの操作によって変更可能になっているものであってもよい。
【００５５】
また、本実施形態では、有効範囲外においては、セキュリティレベルが常に「高」となっている。なお、有効範囲外におけるセキュリティレベルは、ユーザの操作によって変更可能にしてもよい。
【００５６】
さらに、本実施形態のセキュリティ機能切り替え処理の概要は、図２に示す内容に限定するものではない。
【００５７】
例えば、図２の（ａ）に関しては、位置情報付き画像ファイル（位置情報付き画像データ）に用いる画像ファイルは自機のカメラで撮影したものに限定されず、外部装置から転送されたものを利用してもよい。また、位置情報は、最初から画像ファイルに付加されなくても、後で、位置情報を付加するソフト（例えば、カシミール、ＡｂｌｅＣＶなど）を利用して付加してもよい。
【００５８】
さらに、図２の（ｂ）に関しては、セキュリティ機能を管理するとき、上記説明したように、図３の（ｂ）に示すセキュリティ有効状態管理テーブルに従って、セキュリティレベル毎に複数の機能に対応するセキュリティ機能のＯＮ/ＯＦＦを一斉に切り替えてもよいし、機能（例えば、「メール」、「電話」など）毎に、携帯電話機が有効範囲内にいるか否かによって、セキュリティ機能のＯＮ/ＯＦＦを切り替えてもよい。
【００５９】
（携帯電話機の要部構成）
本実施形態に係る携帯電話機１の構成について、図１に基づいて説明する。図１は、携帯電話機１の要部構成を示すブロック図である。
【００６０】
図１に示すように、携帯電話機１は、ＧＰＳ１０と、記憶部２０と、入力部３０と、表示部４０と、制御部５０とを備えている。なお、携帯電話機１は、これらの部材以外にも、スピーカ、マイク、バッテリー等の部材を備えていてもよいが、発明の特徴点とは関係がないため当該部材を図示していない。
【００６１】
ＧＰＳ１０は、人工衛星から発信される電波を受信して、現在位置の経緯度や高度を測定するものである。なお、ＧＰＳに限定することなく、現在位置を特定できるものであればよく、例えば、基地局との通信によって、基地局から現在位置を受信してもよい。
【００６２】
記憶部２０は、制御部５０が実行する制御プログラムおよびＯＳプログラム、ならびに、制御部５０が、携帯電話機１が有する各種機能（例えば、後述の、画像一覧機能、セキュリティ機能切り替えなど）を実行するときに読み出す各種のデータを記憶するものである。本実施形態では、記憶部２０には、例えば、画像ファイル、管理テーブル（図３の（ａ）（ｂ）を参照）、および現状のセキュリティレベルを表す現状設定情報などのデータを記憶する。記憶部２０は、例えば、内容の書き換えが可能な不揮発性メモリである、ＥＰＲＯＭ、ＥＥＰＲＯＭ、フラッシュメモリなどで実現される。なお、内容の書き換えが不要な情報を記憶する記憶部としては、記憶部２０とは別の、図示しない、読出し専用の半導体メモリであるＲＯＭなどで実現されてもよい。
【００６３】
入力部３０は、ユーザの操作指示を取得して、指示信号を生成するものである。
【００６４】
表示部４０は、制御部５０の指示に従って画像を表示するものである。表示部４０は、制御部５０の指示に従って画像を表示するものであればよく、例えば、ＬＣＤ（液晶ディスプレイ）、有機ＥＬディスプレイ、プラズマディスプレイなどを適用することが可能である。
【００６５】
制御部５０は、記憶部２０から一時記憶部（不図示）に読み出されたプログラムを実行することにより、各種の演算を行うと共に、携帯電話機１が備える各部を統括的に制御するものである。
【００６６】
なお、説明の便宜上、制御部５０において、破線で囲まれているブロックＢ１は、セキュリティ機能の切り替えを行う機能ブロックであり、破線で囲まれているブロックＢ２は、画像一覧を表示する機能ブロックである。
【００６７】
本実施形態では、制御部５０は、ブロックＢ１として、位置情報取得部５０１（位置情報取得手段）と、画像ファイル抽出部５０２（適用画像検索手段）と、画像ファイル選別部５０３と、設定情報特定部５０４と、画像色分け部５０５と、現状設定情報取得部５０６と、セキュリティ機能制御部５０７とを備えている。また、ブロックＢ２として、操作取得部５０８と、画像一覧機能制御部５０９と、画像色分け検索部５１０と、表示制御部５１１（画像表示手段）とを備えている。これらの制御部５０の各部（５０１〜５１１）は、ＣＰＵが、ＲＯＭ等で実現された記憶装置に記憶されているプログラムをＲＡＭ等で実現された一時記憶部に読み出して実行することで実現できる。
【００６８】
以下では、まず、ブロックＢ１が備える各部を説明する。
【００６９】
位置情報取得部５０１は、ＧＰＳ１０から取得した経緯度の位置情報を読み出すものである。
【００７０】
画像ファイル抽出部５０２は、記憶部２０に記憶されている位置情報付き画像ファイルの中から、その画像ファイルに関連付けられている有効範囲（図３の（ａ）を参照）内に、位置情報取得部５０１が読み出した上記位置情報が表す位置を含むものを抽出するものである。
【００７１】
画像ファイル選別部５０３は、画像ファイル抽出部５０２が抽出した画像ファイルが複数ある場合に、後述する優先順位の判断方法に従って、１枚の画像ファイルを選別するものである。
【００７２】
ここで、抽出（または選別）された１枚の画像ファイルについて、説明の便宜上、以降では、適用画像ファイル（適用画像データ）と称する場合がある。
【００７３】
設定情報特定部５０４は、上記適用画像ファイルに基づいて、セキュリティ設定管理テーブル（図３の（ａ））を参照して、セキュリティレベルを特定し、特定したセキュリティレベルに基づいて、セキュリティ有効範囲管理テーブル（図３の（ｂ））を参照して、各機能のセキュリティ機能有効状態を特定するものである。
【００７４】
画像色分け部５０５は、適用画像ファイルがある場合には、上記適用画像ファイルの識別情報（例えば、ファイル名など）とともに、色情報としての「赤色」を、後述する色分け管理テーブルに格納する。そして、後述する近隣範囲画像ファイル（近隣画像ファイルおよび一番近い近隣画像ファイル）の検索方針に沿って、近隣画像ファイルおよび一番近い近隣画像ファイルを検索し、それぞれの識別情報とともに、色情報としての「黄色」および「オレンジ色」を、上記色分け管理テーブルに格納するものである。また、適用画像ファイルがない場合には、直接近隣画像ファイルおよび一番近い近隣画像ファイルを検索し、それぞれ、「黄色」および「オレンジ色」とともに、上記色分け管理テーブルに格納するものである。
【００７５】
ここで、近隣範囲画像ファイルの検索方針について、図４に基づいて説明する。図４は、各画像ファイルにおける位置情報および有効範囲の関係の一例を示す図である。図４の（ａ）は、適用画像ファイルが存在する場合の例を示す図である。なお、図４の（ａ）において、適用画像ファイルは既に選別されているため、図面からは省略している。図４の（ｂ）は、適用画像ファイルが存在しない場合の例を示す図である。
【００７６】
適用画像ファイルが存在する場合、近隣範囲画像ファイル（近隣画像ファイルおよび一番近い近隣画像ファイル）の検索方針は、以下のとおりである。すなわち、適用画像ファイルを除いて、画像ファイルに関連付けられている有効範囲が現在位置を含む場合に、その画像ファイルを、近隣画像ファイルと判断し、さらに、上記判断された近隣画像ファイルの内、画像ファイルに付加されている位置情報と、現在位置との距離が一番近い画像ファイルを、一番近い近隣画像ファイルと判断する。
【００７７】
例えば、図４の（ａ）に示すように、適用画像ファイルが既に取り除かれたため、有効範囲が現在位置を含む画像ファイルであるＢ２およびＢ３は、近隣画像ファイルであり、さらに、近隣画像ファイル（Ｂ２およびＢ３）の内、位置情報が現在位置との距離が一番近い画像ファイルであるＢ２は、一番近い近隣画像ファイルである。
【００７８】
また、適用画像ファイルが存在しない場合、近隣範囲画像ファイル（近隣画像ファイルおよび一番近い近隣画像ファイル）の検索方針は、以下のとおりである。すなわち、近隣範囲（例えば、１０００ｍ）が予め決められており、現在位置を中心とする近隣範囲内の領域に、画像ファイルに付加されている位置情報が含まれる場合に、当該画像ファイルを近隣画像ファイルと判断する。さらに、上記判断された近隣画像ファイルの内、画像ファイルに付加されている位置情報と、現在位置との距離が一番近い画像データを、一番近い近隣画像ファイルと判断する。
【００７９】
例えば、図４の（ｂ）に示すように、位置情報が近隣範囲に含まれる画像ファイルであるＢ４およびＢ５は、近隣画像ファイルであり、さらに、近隣画像ファイル（Ｂ４およびＢ５）の内、位置情報が現在位置との距離が一番近い画像ファイルであるＢ５は、一番近い近隣画像ファイルである。
【００８０】
また、色分け管理テーブルについては、図５に基づいて説明する。図５は、色分け管理テーブルの一例を示す図である。ここで、色分け管理テーブルは、「管理番号」と、「ファイル名」と、「色」とから構成される。画像色分け部５０５は、画像ファイルとその画像ファイルに対応する色とを関連付けて、上記色分け管理テーブルに格納する。
【００８１】
現状設定情報取得部５０６は、記憶部２０から、現状のセキュリティレベルを表す現状設定情報を取得するものである。
【００８２】
セキュリティ機能制御部５０７は、設定情報特定部５０４によって特定されたセキュリティレベルと、現状設定情報取得部５０６によって取得された現状設定情報とを比較して、異なる場合には、設定情報特定部５０４によって特定されたセキュリティレベルに基づいて、セキュリティ状態を変更するものである。
【００８３】
次に、ブロックＢ２が備える各部を説明する。
【００８４】
操作取得部５０８は、入力部３０が生成した指示信号を取得するものである。
【００８５】
画像一覧機能制御部５０９は、画像一覧画面を起動したり、表示に必要な各種設定を行ったりするものである。例えば、画像一覧画面において、カーソルの位置やカーソルの色（適用画像明示情報）などを設定するものである。
【００８６】
画像色分け検索部５１０は、色分け管理テーブル（図５を参照）において検索を行うものである。具体的には、画像色分け検索部５１０は、「赤色」に関連付けている画像ファイルを、上記色分け管理テーブルで検索する。また、画像一覧機能制御部５０９が通知する画像ファイル名に関連付けている「色」を、上記色分け管理テーブルで検索する。そして、検索した結果を画像一覧機能制御部５０９に送信する。
【００８７】
表示制御部５１１は、表示部４０に表示するための画像を生成し、生成した画像を表示部４０に出力するものである。
【００８８】
（セキュリティ機能切り替え処理の流れ）
携帯電話機１におけるセキュリティ機能切り替え処理の流れについて、図６に基づいて説明する。図６は、携帯電話機１におけるセキュリティ機能切り替え処理の一例を示すフローチャートである。
【００８９】
図６に示すように、まず、位置情報取得部５０１は、ＧＰＳ１０より現在位置を取得する（Ｓ１０１；位置情報取得ステップ）。
【００９０】
続いて、画像ファイル抽出部５０２は、記憶部２０に保存されている画像ファイルの中から、その画像ファイルに関連付けられている有効範囲（図３の（ａ）参照）に、上記位置情報取得部５０１によって取得された現在位置が含まれる画像ファイルを検索して抽出する（Ｓ１０２；適用画像検索ステップ）。
【００９１】
次に、画像ファイル抽出部５０２は、上記抽出した画像ファイルがあると判断した場合（Ｓ１０３でＹｅｓ）、続いて、判断対象となる上記画像ファイルが複数あるか否かを判断する（Ｓ１０４）。
【００９２】
画像ファイル抽出部５０２が、上記抽出した画像ファイルが複数あると判断した場合（Ｓ１０４でＹｅｓ）、画像ファイル選別部５０３は、優先順位の一番高い画像ファイルを選別する。
【００９３】
ここで、本実施形態における優先順位の判断方法を、図７を参照して説明する。図７は、現在位置が含まれる画像ファイルが複数存在する場合の基本的なパターンを示す図である。図７にある円の領域は、画像ファイルに関連付けられている有効範囲を示すものであり、斜線の領域は、上記有効範囲が重なっている部分を示すものである。図７の（ａ）は、抽出した２つの画像ファイルの内、１つに関連付けられている有効範囲ａ２は、もう１つの画像ファイルに関連付けられている有効範囲ａ１内に全部重なっている（有効範囲ａ２は、有効範囲ａ１の中に完全に含まれている）場合の例を示す図である。図７の（ｂ）は、抽出した２つの画像ファイルに関連付けられている有効範囲ｂ１および有効範囲ｂ２が一部重なっている場合の例を示す図である。
【００９４】
本実施形態における優先順位の判断方法としては、まず、図７の（ａ）に示すように、有効範囲ａ２は、有効範囲ａ１内に全部重なっている場合、一番内側にある有効範囲（ここで、有効範囲ａ２）を持つ画像ファイルに関連付けられているセキュリティ設定情報を有効とする。さらに、一番内側にある有効範囲が複数あり、しかも、図７の（ｂ）に示すように、その有効範囲（ここで、有効範囲ｂ１および有効範囲ｂ２）が一部重なっている場合、上記複数の有効範囲の中で、セキュリティレベルが一番高い有効範囲（ここで、有効範囲ｂ１）を持つ画像ファイルに関連付けられているセキュリティ設定情報を有効とする。
【００９５】
なお、優先順位の判断方法は特に限定されず、１枚の画像ファイルを選別して、セキュリティ設定情報を特定できればよく、例えば、常にセキュリティレベルの一番高いものや、一番低いものなどを選別してもよい。
【００９６】
画像ファイル選別部５０３は、上記優先順位の判断方法に基づいて、まず、図７の（ａ）に示すパターンにおいて、一番内側にある有効範囲を持つ画像ファイルを選別する（Ｓ１０５）。続いて、画像ファイル選別部５０３は、図７の（ｂ）に示すパターンにおいて、セキュリティレベルが一番高い有効範囲を持つ画像ファイルを選別する（Ｓ１０６）。これによって、１枚の画像ファイル（以降では、「適用画像ファイル」と称する）が選別される。
【００９７】
具体的には、例えば、図７の（ａ）に示すパターンにおいて、一番内側にある有効範囲を持つ画像ファイルを選別する。結果としては、１枚の画像ファイル、または、有効範囲の一部が重なっている複数の画像ファイルが選別されたことになる。１枚の画像ファイルが選別された場合には、上記Ｓ１０６の処理は省略してもよいが、複数の画像ファイルが選別された場合には、続いて、図７の（ｂ）に示すパターンにおいて、セキュリティレベルが一番高い有効範囲を持つ画像ファイルを選別する。結果としては、１枚の画像ファイル（適用画像ファイル）が選別されたことになる。
【００９８】
そして、設定情報特定部５０４は、セキュリティ設定管理テーブルに基づいて、設定すべきセキュリティレベルを特定する（Ｓ１０７）。
【００９９】
一方、画像ファイル抽出部５０２が、上記抽出した画像ファイルが複数ではない（１枚である）と判断した場合（Ｓ１０４でＮｏ）、設定情報特定部５０４は、セキュリティ設定管理テーブルに基づいて、設定すべきセキュリティレベルを特定する（Ｓ１０７）。
【０１００】
そして、画像色分け部５０５は、上記抽出（または選別）した１枚の画像ファイル（適用画像ファイル）の識別情報と色情報である「赤色」とをとともに、色分け管理テーブルに格納する。（Ｓ１０８）
一方、画像ファイル抽出部５０２が、上記抽出した画像がない（適用画像がない）と判断した場合（Ｓ１０３でＮｏ）、設定情報特定部５０４は、有効範囲外（現在位置が含まれる画像が存在しない、すなわち、現在位置が画像に関連付けている有効範囲のいずれにも含まれていない）のセキュリティ設定情報を参照して、設定すべきセキュリティレベルを特定する（Ｓ１０９）。なお、本実施形態では、有効範囲外のセキュリティレベルは常に「高」となっているので、上記設定すべきセキュリティレベルは「高」と特定される。
【０１０１】
そして、画像色分け部５０５は、上記近隣範囲画像ファイルの検索方針に沿って、近隣画像ファイルおよび一番近い近隣画像ファイルを検出する（Ｓ１１０）。
【０１０２】
画像色分け部５０５は、近隣範囲画像ファイルを検出した場合（Ｓ１１０でＹｅｓ）、一番近い近隣画像ファイルの識別情報を色情報である「オレンジ色」とともに、それ以外の近隣画像ファイルの識別情報を色情報である「黄色」とともに、それぞれ色分け管理テーブルに格納する（Ｓ１１１）。そして、設定情報特定部５０４は、上記特定したセキュリティレベルをセキュリティ機能制御部５０７に通知する。
【０１０３】
一方、画像色分け部５０５が、近隣範囲画像ファイルを検出しない場合（Ｓ１１０でＮｏ）、設定情報特定部５０４は、上記特定したセキュリティレベルをセキュリティ機能制御部５０７に通知する。
【０１０４】
次に、現状設定情報取得部５０６は、記憶部２０から、現状設定情報を取得し、セキュリティ機能制御部５０７に通知する。
【０１０５】
そして、セキュリティ機能制御部５０７は、設定情報特定部５０４によって通知された設定すべきセキュリティレベルと、現状設定情報取得部５０６によって通知された現状設定情報とを比較する（Ｓ１１２）。
【０１０６】
セキュリティ機能制御部５０７は、上記比較した結果が“異なる”場合（Ｓ１１２でＹｅｓ）、上記設定すべきセキュリティレベルにセキュリティ状態を変更する（Ｓ１１３）。そして、新しく設定されたセキュリティレベルを、記憶部２０に、現状設定情報として記憶する。その後、制御部５０は、セキュリティ機能切り替え処理を終了するか否か判断する（Ｓ１１４）。
【０１０７】
一方、セキュリティ機能制御部５０７が、上記比較した結果が“同じ”場合（Ｓ１１２でＮｏ）、制御部５０は、セキュリティ機能切り替え処理を終了するか否か判断する（Ｓ１１４）。
【０１０８】
制御部５０は、セキュリティ機能切り替え処理を終了すると判断した場合（Ｓ１１４でＹｅｓ）、セキュリティ機能切り替え処理を終了させる（Ｓ１１５）。一方、制御部５０が、セキュリティ機能切り替え処理を終了しないと判断した場合（Ｓ１１４でＮｏ）、位置情報取得部５０１は、ＧＰＳより現在位置を繰り返し取得する（Ｓ１０１）。
【０１０９】
（画像一覧画面の例）
次に、携帯電話機１の画像一覧画面の一例を、図８を参照して説明する。図８は、携帯電話機１の画像一覧画面の表示例を示す図である。
【０１１０】
画像一覧機能制御部５０９が、画像一覧機能を起動した直後、適用画像ファイルがある場合には、カーソル位置を、当該適用画像ファイルに設定し、カーソル色を、適用画像ファイルを意味する「赤色」に設定する。一方、画像一覧機能制御部５０９が、画像一覧機能を起動した直後、上記適用画像ファイルがない場合には、カーソル位置を、先頭画像に設定し、カーソル色を、通常のカーソル色（例えば、「黒色」）に設定する。図８の（ａ）は、画像一覧機能を起動した直後に、カーソルを移動せず、且つ、適用画像ファイルが存在する場合の画像一覧画面の例を示す図である。図８の（ａ）に示すように、カーソルは適用画像ファイルに当たって、赤色で表示されている。
【０１１１】
また、ユーザによってカーソルが移動された場合には、画像一覧機能制御部５０９は、カーソルが当たっている画像ファイルは、適用画像ファイルと、近隣画像ファイルと、一番近い近隣画像ファイルとの内、どの画像ファイルに当てはまるかを判断する。適用画像ファイルの場合には、カーソル色を「赤色」に設定し、近隣画像ファイルの場合には、カーソル色を「黄色」に設定し、また、一番近い近隣画像ファイルの場合には、カーソル色を「オレンジ色」に設定する。
【０１１２】
図８の（ｂ）は、カーソルが当たっている画像ファイルが近隣画像ファイルである場合の表示例を示す図である。図８の（ｂ）に示すように、カーソルは黄色で表示されている。
【０１１３】
図８の（ｃ）は、カーソルが当たっている画像ファイルが一番近い近隣画像ファイルである場合の表示例を示す図である。図８の（ｃ）に示すように、カーソルはオレンジ色で表示されている。
【０１１４】
また、図８の（ｄ）は、カーソルが当たっている画像ファイルが適用画像ファイルでもなく、近隣画像ファイルまたは一番近い近隣画像ファイルでもない場合の表示例を示す図である。図８の（ｄ）に示すように、カーソルは、通常の色（ここでは、黒色）で表示されている。
【０１１５】
なお、本実施形態では、カーソルの色によって、適用画像ファイルと、近隣画像ファイルと、一番近い近隣画像ファイルとを区別するが、本発明は、それに限定することなく、適用画像ファイルと、近隣画像ファイルと、一番近い近隣画像ファイルとを区別できればよく、例えば、カーソルの形によって区別してもよい。
【０１１６】
（画像一覧機能処理の流れ）
次に、携帯電話機１における画像一覧機能の処理の流れについて、図９に基づいて説明する。図９は、携帯電話機１における画像一覧機能の処理の流れの一例を示すフローチャートである。
【０１１７】
図９に示すように、まず、操作取得部５０８は、ユーザから、入力部３０を介して、入力された画像一覧画面を表示させる指示信号を受信したら、その旨を、画像一覧機能制御部５０９に通知する。そして、画像一覧機能制御部５０９は画像一覧機能の起動を開始する（Ｓ２０１）。
【０１１８】
次に、画像色分け検索部５１０は、記憶部２０に記憶されている色分け管理テーブルに基づいて、「赤色」と関連付けて記憶されている画像ファイルを検索する（Ｓ２０２）。画像色分け検索部５１０は、「赤色」と関連付けて記憶されている画像ファイルを見つければ（Ｓ２０２でＹｅｓ）、カーソル位置をその画像ファイルに設定し、カーソル色を「赤色」に設定する（Ｓ２０３）。一方、画像色分け検索部５１０は、「赤色」と関連付けて記憶されている画像ファイルを見つけなければ（Ｓ２０２でＮｏ）、カーソル位置を先頭画像ファイルに設定し、カーソル色を通常の色（ここでは、黒色）に設定する（Ｓ２０４）。
【０１１９】
カーソルの位置が設定されていれば、次に、画像一覧機能制御部５０９は、表示制御部５１１に指示し、画像一覧画面を表示部４０に表示させる（Ｓ２０５；画像表示ステップ）。
【０１２０】
次に、操作取得部５０８は、ユーザから、入力部３０を介して、入力された“カーソルの移動”を検出する（Ｓ２０６）。操作取得部５０８は、“カーソルの移動”を検出しない場合（Ｓ２０６でＮｏ）、画像一覧画面を表示し続ける（Ｓ２０５）。一方、操作取得部５０８は、“カーソルの移動”を検出した場合（Ｓ２０６でＹｅｓ）、その旨を画像一覧機能制御部５０９に通知する。そして、画像一覧機能制御部５０９は、カーソルによって選択された画像ファイルを特定し、その画像ファイル名を、画像色分け検索部５１０に通知する。そして、画像色分け検索部５１０は、画像一覧機能制御部５０９から受信した画像ファイル名に基づいて、色分け管理テーブルで上記画像ファイルを検索する（Ｓ２０７）。
【０１２１】
画像色分け検索部５１０は、上記画像ファイルを見つけた場合（Ｓ２０８でＹｅｓ）、上記画像ファイルに関連付けられている色を、画像一覧機能制御部５０９に通知する。画像一覧機能制御部５０９は、上記通知された色で、カーソル色を設定する（Ｓ２０９）。一方、画像色分け検索部５１０は、上記画像ファイルを見つけていない場合（Ｓ２０８でＮｏ）、その旨を画像一覧機能制御部５０９に通知する。画像一覧機能制御部５０９は、通常の色（ここでは、黒色）で、カーソル色を設定する（Ｓ２１０）。
【０１２２】
次に、画像一覧機能制御部５０９は、画像一覧画面を再表示するように、表示制御部５１１に指示し、表示部４０に表示させる（Ｓ２１１；画像表示ステップ）。
【０１２３】
そして、画像一覧機能制御部５０９は、画像一覧表示を終了するか否かを判断する（Ｓ２１２）。ここで、画像一覧表示を終了するか否かの判断方法は、特に限定されず、例えば、ユーザが「クリア」キーを入力した場合、画像一覧表示を終了すると判断してもよいし、タイムアウトなどによって、画像一覧表示を終了すると判断してもよい。
【０１２４】
画像一覧機能制御部５０９は、画像一覧表示を終了すると判断した場合（Ｓ２１２でＹｅｓ）、画像一覧表示処理を終了する。一方、画像一覧機能制御部５０９は、画像一覧表示を終了しないと判断した場合（Ｓ２１２でＮｏ）、画像一覧画面を表示し続ける（Ｓ２０５）。
【０１２５】
〔第２の実施形態〕
第１の実施形態では、携帯電話機１において、色分け管理テーブルに基づいて、画像一覧機能を制御する例を説明したが、以下、第２の実施形態として、携帯電話機２（情報端末）において、管理テーブルを利用せず、画像一覧機能を制御する例を、図１０〜図１３に基づいて詳細に説明する。
【０１２６】
また、第１の実施形態では、画像一覧画面に表示される画像ファイルは、カーソル色によって区別されるが、第２の実施形態では、画像一覧画面に表示される画像ファイルは、カーソル色によって区別されるのではなく、画像ファイルの枠色（適用画像明示情報）によって区別される。なお、赤、黄およびオレンジの各色が代表する画像ファイルの種類（適用画像ファイル、近隣画像ファイル、一番違い近隣画像ファイル）は、第１の実施形態と同様とする。
【０１２７】
また、第１の実施形態と同じ構成要素については、同一の部材番号を付し、その説明を省略する。ここでは、第１の実施形態との相違点を中心に説明し、特に説明していない構成要素は、第１の実施形態と同様の構成および機能を有するものとする。
【０１２８】
（携帯電話機の要部構成）
本実施形態に係る携帯電話機２の構成について、図１０に基づいて説明する。図１０は、携帯電話機２の要部構成を示すブロック図である。
【０１２９】
図１０に示すように、携帯電話機２は、画像色分け部５０５および画像色分け検索部５１０を備えず、画像一覧機能制御部５０９には、カーソル設定部５２０と、枠色設定部５２１と、近隣範囲検索部５２２とを、さらに備えること以外は、すべて図１に示す携帯電話機１の構成と同様である。
【０１３０】
また、携帯電話機２の記憶部２０’は、携帯電話機１の記憶部２０に比べて、色分け管理テーブルの代わりに、現状設定画像および現在位置を格納する。
【０１３１】
カーソル設定部５２０は、画像一覧機能制御部５０９が、画像一覧画面を起動した直後に、カーソル位置を設定するものである。
【０１３２】
枠色設定部５２１は、画像一覧機能制御部５０９が、画像一覧画面を起動した直後に、画面に表示する画像ファイルの枠色を設定するものである。
【０１３３】
近隣範囲検索部５２２は、記憶部２０’の中で保存されている画像ファイルの中で、近隣画像ファイルおよび一番近い近隣画像ファイルを検索するものである。
【０１３４】
（セキュリティ機能切り替え処理の流れ）
携帯電話機２におけるセキュリティ機能切り替え処理の流れについて、図１１に基づいて説明する。図１１は、携帯電話機２におけるセキュリティ機能切り替え処理の一例を示すフローチャートである。
【０１３５】
図１１に示すように、まず、位置情報取得部５０１は、ＧＰＳ１０より現在位置を取得する（Ｓ３０１；位置情報取得ステップ）。
【０１３６】
そして、位置情報取得部５０１は、取得した現在位置の位置情報を記憶部２０’に記憶する（Ｓ３０２）。
【０１３７】
続いて、画像ファイル抽出部５０２は、記憶部２０’に保存されている画像ファイルの中から、その画像ファイルに関連付けられている有効範囲（図３の（ａ）参照）に、上記位置情報取得部５０１によって取得された現在位置が含まれる画像ファイルを検索して抽出する（Ｓ３０３；適用画像検索ステップ）。
【０１３８】
次に、画像ファイル抽出部５０２は、上記抽出した画像ファイルがあると判断した場合（Ｓ３０４でＹｅｓ）、続いて、判断対象となる上記画像ファイルが複数あるか否かを判断する（Ｓ３０５）。
【０１３９】
画像ファイル抽出部５０２が、上記抽出した画像ファイルが複数あると判断した場合（Ｓ３０５でＹｅｓ）、画像ファイル選別部５０３は、図７に示す優先順位の判断方法に基づいて、まず、図７の（ａ）に示すパターンにおいて、一番内側にある有効範囲を持つ画像ファイルを選別する（Ｓ３０６）。続いて、画像ファイル選別部５０３は、図７の（ｂ）に示すパターンにおいて、セキュリティレベルが一番高い有効範囲を持つ画像ファイルを選別する（Ｓ３０７）。これによって、適用画像ファイルが選別される。
【０１４０】
そして、画像ファイル選別部５０３は、選別された適用画像ファイルの識別情報（ここでは、適用画像ファイル名）を、記憶部２０’に、「現状設定画像」として保存する（Ｓ３０８）。
【０１４１】
そして、設定情報特定部５０４は、セキュリティ設定管理テーブルに基づいて、設定すべきセキュリティレベルを特定する（Ｓ３０９）。
【０１４２】
一方、画像ファイル抽出部５０２が、上記抽出した画像ファイルが複数ではない（１枚である）と判断した場合（Ｓ３０５でＮｏ）、画像ファイル抽出部５０２は、上記抽出した１枚の画像ファイル（適用画像ファイル）の識別情報（ここでは、適用画像ファイル名）を、記憶部２０’に、「現状設定画像」として保存する（Ｓ３０８）。
【０１４３】
そして、設定情報特定部５０４は、セキュリティ設定管理テーブルに基づいて、設定すべきセキュリティレベルを特定する（Ｓ３０９）。
【０１４４】
一方、画像ファイル抽出部５０２が、上記抽出した画像がない（適用画像がない）と判断した場合（Ｓ３０４でＮｏ）、画像ファイル抽出部５０２は、記憶部２０’に記憶されている「現状設定画像」の情報をクリアする（Ｓ３１０）。
【０１４５】
そして、設定情報特定部５０４は、有効範囲外のセキュリティ設定情報を参照して、設定すべきセキュリティレベルを特定する（Ｓ３１１）。なお、本実施形態では、有効範囲外のセキュリティレベルは常に「高」となっているので、上記設定すべきセキュリティレベルは「高」と特定される。
【０１４６】
設定情報特定部５０４が、設定すべきセキュリティレベルを特定した後、現状設定情報取得部５０６は、記憶部２０’から、現状設定情報を取得し、セキュリティ機能制御部５０７に通知する。
【０１４７】
そして、セキュリティ機能制御部５０７は、設定情報特定部５０４によって通知された設定すべきセキュリティレベルと、現状設定情報取得部５０６によって通知された現状設定情報とを比較する（Ｓ３１２）。
【０１４８】
セキュリティ機能制御部５０７は、上記比較した結果が“異なる”場合（Ｓ３１２でＹｅｓ）、上記設定すべきセキュリティレベルにセキュリティ状態を変更する（Ｓ３１３）。そして、新しく設定されたセキュリティレベルを、記憶部２０’に、現状設定情報として記憶する。その後、制御部５０は、セキュリティ機能切り替え処理を終了するか否か判断する（Ｓ３１４）。
【０１４９】
一方、セキュリティ機能制御部５０７が、上記比較した結果が“同じ”場合（Ｓ３１２でＮｏ）、制御部５０は、セキュリティ機能切り替え処理を終了するか否か判断する（Ｓ３１４）。
【０１５０】
制御部５０は、セキュリティ機能切り替え処理を終了すると判断した場合（Ｓ３１４でＹｅｓ）、セキュリティ機能切り替え処理を終了させる（Ｓ３１５）。一方、制御部５０が、セキュリティ機能切り替え処理を終了しないと判断した場合（Ｓ３１４でＮｏ）、位置情報取得部５０１は、ＧＰＳより現在位置を繰り返し取得する（Ｓ３０１）。
【０１５１】
（画像一覧画面の例）
次に、携帯電話機２の画像一覧画面の一例を、図１２を参照して説明する。図１２は、携帯電話機２の画像一覧画面の表示例を示す図である。
【０１５２】
画像一覧機能制御部５０９が、画像一覧機能を起動した直後、適用画像ファイルがある場合には、カーソル設定部５２０は、カーソル位置を、当該適用画像ファイルに設定し、枠色設定部５２１は、適用画像ファイルの枠色を、適用画像ファイルを意味する「赤色」に設定して、色情報である「赤色」を、適用画像ファイルの識別情報とともに、色分け管理テーブルに記憶する。また、枠色設定部５２１は、近隣画像ファイルの枠色と、一番近い近隣画像ファイルの枠色とを、それぞれ、「黄色」と「オレンジ色」とに設定して、色情報である「黄色」を、近隣画像ファイルの識別情報とともに、また、色情報である「オレンジ色」を、一番近い近隣画像ファイルの識別情報とともに、それぞれ色分け管理テーブルに記憶する。
【０１５３】
一方、画像一覧機能制御部５０９が、画像一覧機能を起動した直後、上記適用画像ファイルがない場合には、カーソル設定部５２０は、カーソル位置を、先頭画像に設定する。また、枠色設定部５２１は、近隣画像ファイルの枠色と、一番近い近隣画像ファイルの枠色とを、それぞれ、「黄色」と「オレンジ色」とに設定し、それ以外の画像ファイルの枠色を、通常の枠色（例えば、「黒色」）に設定する。
【０１５４】
図１２の（ａ）は、画像一覧機能を起動した直後に、カーソルを移動せず、且つ、適用画像ファイルが存在する場合の画像一覧画面の例を示す図である。図１２の（ａ）に示すように、カーソルは適用画像ファイルに当たって、その適用画像ファイルの枠色は赤色で表示されている。また、近隣画像ファイルや、一番近い近隣画像ファイルは、それぞれ「黄色」や「オレンジ色」で表示されている。
【０１５５】
また、図１２の（ｂ）は、画像一覧機能を起動した直後に、カーソルを移動せず、且つ、適用画像ファイルが存在しない場合の画像一覧画面の例を示す図である。図８の（ｂ）に示すように、カーソルは先頭画像ファイルに当たる。また、近隣画像ファイルや、一番近い近隣画像ファイルは、それぞれ「黄色」や「オレンジ色」で表示されている。
【０１５６】
なお、本実施形態では、画像ファイルの枠色によって、適用画像ファイルと、近隣画像ファイルと、一番近い近隣画像ファイルとを区別するが、本発明は、それに限定することなく、適用画像ファイルと、近隣画像ファイルと、一番近い近隣画像ファイルとを区別できればよく、例えば、画像ファイルの枠の形によって区別してもよいし、画像ファイルをモノクロで表示したり、透明度によって表示したりすることなどによって区別してもよいし、画像を四角形、三角形などの幾何図形でカットして表示することによって区別してもよい。
【０１５７】
（画像一覧機能処理の流れ）
次に、携帯電話機２における画像一覧機能の処理の流れについて、図１３に基づいて説明する。図１３は、携帯電話機２における画像一覧機能の処理の流れの一例を示すフローチャートである。
【０１５８】
図１３に示すように、まず、操作取得部５０８は、ユーザから、入力部３０を介して、入力された画像一覧画面を表示させる指示信号を受信したら、その旨を、画像一覧機能制御部５０９に通知する。そして、画像一覧機能制御部５０９は画像一覧機能の起動を開始する（Ｓ４０１）。
【０１５９】
次に、画像一覧機能制御部５０９は、記憶部２０’に記憶されている「現状設定画像」には、情報があるか否かを判断する（Ｓ４０２）。画像一覧機能制御部５０９が、「現状設定画像」には、情報があると判断した場合（Ｓ４０２でＹｅｓ）、カーソル設定部５２０は、カーソル位置をその画像ファイルに設定する（Ｓ４０３）。
【０１６０】
そして、枠色設定部５２１は、上記画像ファイル枠色を「赤色」に設定して、色情報である「赤色」を、上記画像ファイルの識別情報とともに、色分け管理テーブルに記憶する（Ｓ４０４）。
【０１６１】
一方、画像一覧機能制御部５０９が、「現状設定画像」には、情報がないと判断した場合（Ｓ４０２でＮｏ）、カーソル位置を先頭画像ファイルに設定する（Ｓ４０５）。
【０１６２】
カーソル位置が設定されていれば、次に、画像一覧機能制御部５０９は、記憶部２０’から、現在位置を取得し、近隣範囲検索部５２２に通知する。そして、近隣範囲検索部５２２は、上記近隣範囲画像ファイルの検索方針に沿って、近隣画像ファイルおよび一番近い近隣画像ファイルを検出する（Ｓ４０６）。
【０１６３】
近隣範囲検索部５２２は、近隣範囲の画像ファイル（近隣画像ファイルおよび/または一番近い近隣画像ファイル）を検出した場合（Ｓ４０６でＹｅｓ）、それらの画像ファイル識別情報（ここで、画像ファイル名）を、枠色設定部５２１に送信する。
【０１６４】
そして、枠色設定部５２１は、近隣範囲検索部５２２から受信した画像ファイル名に基づいて、一番近い近隣画像ファイルの枠色を「オレンジ色」に設定し、近隣画像ファイルの枠色を「黄色」に設定する（Ｓ４０７）。
【０１６５】
そして、画像一覧機能制御部５０９は、表示制御部５１１に指示し、画像一覧画面を表示部４０に表示させる（Ｓ４０８；画像表示ステップ）。
【０１６６】
一方、近隣範囲検索部５２２が、近隣範囲の画像ファイルを検出していない場合（Ｓ４０６でＮｏ）、画像一覧機能制御部５０９は、表示制御部５１１に指示し、画像一覧画面を表示部４０に表示させる（Ｓ４０８；画像表示ステップ）。
【０１６７】
そして、画像一覧機能制御部５０９は、画像一覧表示を終了するか否かを判断する（Ｓ４０９）。ここで、画像一覧表示を終了するか否かの判断方法は、特に限定されず、例えば、ユーザが「クリア」キーを入力した場合、画像一覧表示を終了すると判断してもよいし、タイムアウトなどによって、画像一覧表示を終了すると判断してもよい。
【０１６８】
画像一覧機能制御部５０９は、画像一覧表示を終了すると判断した場合（Ｓ４０９でＹｅｓ）、画像一覧表示処理を終了する。一方、画像一覧機能制御部５０９は、画像一覧表示を終了しないと判断した場合（Ｓ４０９でＮｏ）、記憶部２０’に記憶されている「現状設定画像」には、情報があるか否かを、繰り返し判断する（Ｓ４０２）。
【０１６９】
〔第３の実施形態〕
第１および第２の実施形態では、携帯電話機１、２において、画像一覧画面によりセキュリティ設定場所や、近隣場所を確認する例を説明したが、本発明は、画像一覧画面によりセキュリティを確認することだけではなく、画面がロックされることなどにより、画像一覧画面を見ることができない場合でも、容易にセキュリティを確認することができる。以下、第３の実施形態として、携帯電話機３（情報端末）において、画面がロックされることにより、画像一覧画面を表示できない場合、壁紙（適用画像明示情報；待ち受け画面）によりセキュリティを確認する例を、図１４〜図１６に基づいて詳細に説明する。
【０１７０】
なお、第１の実施形態と同じ構成要素については、同一の部材番号を付し、その説明を省略する。ここでは、第１の実施形態との相違点を中心に説明し、特に説明していない構成要素は、第１の実施形態と同様の構成および機能を有するものとする。
【０１７１】
（携帯電話機の要部構成）
本実施形態に係る携帯電話機３の構成について、図１４に基づいて説明する。図１４は、携帯電話機３の要部構成を示すブロック図である。
【０１７２】
図１４に示すように、携帯電話機３は、画像色分け部５０５と、が画像一覧機能制御部５０９と、画像色分け検索部５１０を備えず、壁紙設定部５１２を備えること以外は、すべて図１に示す携帯電話機１の構成と同様である。
【０１７３】
なお、入力部３０と、表示部４０と、制御部５０の機能ブロックＢ２にある操作取得部５０８と、表示制御部５１１とは、本実施形態において、特に関係ないため、図示を省略とする。
【０１７４】
（セキュリティ機能切り替え処理の流れ）
携帯電話機３におけるセキュリティ機能切り替え処理の流れについて、図１５に基づいて説明する。図１５は、携帯電話機３におけるセキュリティ機能切り替え処理の一例を示すフローチャートである。
【０１７５】
図１５に示すように、まず、位置情報取得部５０１は、ＧＰＳ１０より現在位置を取得する（Ｓ５０１；位置情報取得ステップ）。
【０１７６】
続いて、画像ファイル抽出部５０２は、記憶部２０に保存されている画像ファイルの中から、その画像ファイルに関連付けられている有効範囲（図３の（ａ）参照）に、上記位置情報取得部５０１によって取得された現在位置が含まれる画像ファイルを検索して抽出する（Ｓ５０２；適用画像検索ステップ）。
【０１７７】
次に、画像ファイル抽出部５０２は、上記抽出した画像ファイルがあると判断した場合（Ｓ５０３でＹｅｓ）、続いて、判断対象となる上記画像ファイルが複数あるか否かを判断する（Ｓ５０４）。
【０１７８】
画像ファイル抽出部５０２が、上記抽出した画像ファイルが複数あると判断した場合（Ｓ５０４でＹｅｓ）、画像ファイル選別部５０３は、図７に示す優先順位の判断方法に基づいて、まず、図７の（ａ）に示すパターンにおいて、一番内側にある有効範囲を持つ画像ファイルを選別する（Ｓ５０５）。続いて、画像ファイル選別部５０３は、図７の（ｂ）に示すパターンにおいて、セキュリティレベルが一番高い有効範囲を持つ画像ファイルを選別する（Ｓ５０６）。これによって、適用画像ファイルが選別される。
【０１７９】
そして、壁紙設定部５１２は、選別された適用画像ファイルを壁紙に設定する（Ｓ５０７）。
【０１８０】
そして、設定情報特定部５０４は、セキュリティ設定管理テーブルに基づいて、設定すべきセキュリティレベルを特定する（Ｓ３０８）。
【０１８１】
一方、画像ファイル抽出部５０２が、上記抽出した画像ファイルが複数ではない（１枚である）と判断した場合（Ｓ５０４でＮｏ）、壁紙設定部５１２は、壁紙を、上記抽出した１枚の画像ファイル（適用画像ファイル）に設定する（Ｓ５０７）。
【０１８２】
そして、設定情報特定部５０４は、セキュリティ設定管理テーブルに基づいて、設定すべきセキュリティレベルを特定する（Ｓ５０８）。
【０１８３】
一方、画像ファイル抽出部５０２が、上記抽出した画像がない（適用画像がない）と判断した場合（Ｓ５０３でＮｏ）、壁紙設定部５１２は、壁紙を、ユーザが予め設定した画像ファイルに設定する（Ｓ５０９）。
【０１８４】
そして、設定情報特定部５０４は、有効範囲外のセキュリティ設定情報を参照して、設定すべきセキュリティレベルを特定する（Ｓ５１０）。なお、本実施形態では、有効範囲外のセキュリティレベルは常に「高」となっているので、上記設定すべきセキュリティレベルは「高」と特定される。
【０１８５】
設定情報特定部５０４が、設定すべきセキュリティレベルを特定した後、現状設定情報取得部５０６は、記憶部２０から、現状設定情報を取得し、セキュリティ機能制御部５０７に通知する。
【０１８６】
そして、セキュリティ機能制御部５０７は、設定情報特定部５０４によって通知された設定すべきセキュリティレベルと、現状設定情報取得部５０６によって通知された現状設定情報とを比較する（Ｓ５１１）。
【０１８７】
セキュリティ機能制御部５０７は、上記比較した結果が“異なる”場合（Ｓ５１１でＹｅｓ）、上記設定すべきセキュリティレベルにセキュリティ状態を変更する（Ｓ５１２）。そして、新しく設定されたセキュリティレベルを、記憶部２０に、現状設定情報として記憶する。その後、制御部５０は、セキュリティ機能切り替え処理を終了するか否か判断する（Ｓ５１３）。
【０１８８】
一方、セキュリティ機能制御部５０７が、上記比較した結果が“同じ”場合（Ｓ５１１でＮｏ）、制御部５０は、セキュリティ機能切り替え処理を終了するか否かを判断する（Ｓ５１３）。
【０１８９】
制御部５０は、セキュリティ機能切り替え処理を終了すると判断した場合（Ｓ５１３でＹｅｓ）、セキュリティ機能切り替え処理を終了させる（Ｓ５１４）。一方、制御部５０が、セキュリティ機能切り替え処理を終了しないと判断した場合（Ｓ５１３でＮｏ）、位置情報取得部５０１は、ＧＰＳより現在位置を繰り返し取得する（Ｓ５０１）。
【０１９０】
（画面ロック中の壁紙の例）
次に、携帯電話機３における画面ロック中の壁紙の一例を、図１６を参照して説明する。図１６は、携帯電話機３における画面ロック中の壁紙の表示例を示す図である。
【０１９１】
図１６の（ａ）に示すように、現在位置が画像ファイルに関連付けている有効範囲内にある場合（すなわち、適用画像ファイルがない場合）、壁紙として、その適用画像ファイルが表示されている。
【０１９２】
また、図１６の（ｂ）に示すように、現在位置が何れの画像ファイルに関連付けられている有効範囲にもない場合（すなわち、有効範囲外において、適用画像ファイルがない場合）、壁紙において、ユーザが予め設定した画像ファイルが表示されている。
【０１９３】
よって、ユーザは、画面のロックを解除しなくても、容易にセキュリティ設定場所を確認することができるという効果を奏する。
【０１９４】
上記各実施形態では、位置情報付き画像ファイルと、セキュリティ設定情報とを関連付けて、セキュリティ設定管理テーブルに格納して管理する。なお、本発明は、それに限定せず、画像ファイルと、位置情報およびセキュリティ設定情報とを対応付けて管理できればよく、例えば、位置情報とセキュリティ設定情報とは、画像ファイルのＥｘｉｆ情報領域に格納して管理してもよい。
【０１９５】
なお、本発明に係る携帯電話機は、以下の構成を備えてもよい。
【０１９６】
本発明に係る携帯電話機は、適用画像ファイル、近隣画像ファイル、一番近い近隣画像ファイルを表示することに限定することなく、適用画像ファイル、近隣画像ファイルおよび一番近い近隣画像ファイルを区別できればよく、例えば、表示部にて、それぞれのファイル名のリストアップなどで表示して、ユーザに知らせてもよい。
【０１９７】
また、実施形態では、適用画像ファイル、近隣画像ファイル、一番近い近隣画像ファイルを検索するとき、画像ファイルに関連付けられている有効範囲を用いたが、本発明に係る携帯電話機はそれに限定されず、現在位置の位置情報と画像ファイルに付加されている位置情報の関係を判断できればよく、例えば、現在位置の位置情報を中心する有効範囲を用いてもよい。
【０１９８】
また、実施形態では、適用画像ファイル、近隣画像ファイル、一番近い近隣画像ファイルを明示するための適用画像明示情報は、事前に決められているが、それに限定せず、ユーザによって指定されてもよい。
【０１９９】
〔補足〕
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２００】
最後に、携帯電話機１〜４の各ブロック、特に制御部５０は、ハードウェアロジックによって構成してもよいし、次のようにＣＰＵを用いてソフトウェアによって実現してもよい。
【０２０１】
すなわち、携帯電話機１〜４は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話機１〜４の制御プログラムのプログラムコード（実行形式プログラム、中間コードプログラム、ソースプログラム）をコンピュータで読み取り可能に記録した記録媒体を、上記携帯電話機１〜４に供給し、そのコンピュータ（またはＣＰＵやＭＰＵ）が記録媒体に記録されているプログラムコードを読み出し実行することによっても、達成可能である。
【０２０２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０３】
また、携帯電話機１〜４を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２０４】
本発明は、情報端末に利用することができる。特に、セキュリティ機能を備え、セキュリティレベルを位置に応じて切り替える情報端末に好適に利用することができる。
【符号の説明】
【０２０５】
１、２、３    携帯電話機（情報端末）
２０    記憶部
４０    表示部
５０１    位置情報取得部（位置情報取得手段）
５０２    画像ファイル抽出部（適用画像検索手段）
５１１    表示制御部（画像表示手段）
Ｓ１０１、Ｓ３０１、Ｓ５０１    位置情報取得ステップ
Ｓ１０２、Ｓ３０３、Ｓ５０２    適用画像検索ステップ
Ｓ２０５、Ｓ２１１、Ｓ４０８    画像表示ステップ
【図１】
2013004990.tif 000003
【図２】
2013004990.tif 000004
【図３】
2013004990.tif 000005
【図４】
2013004990.tif 000006
【図５】
2013004990.tif 000007
【図６】
2013004990.tif 000008
【図７】
2013004990.tif 000009
【図８】
2013004990.tif 000010
【図９】
2013004990.tif 000011
【図１０】
2013004990.tif 000012
【図１１】
2013004990.tif 000013
【図１２】
2013004990.tif 000014
【図１３】
2013004990.tif 000015
【図１４】
2013004990.tif 000016
【図１５】
2013004990.tif 000017
【図１６】
2013004990.tif 000018